【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
メディアプレーヤによりデジタル音声データをアクセサリに送信する方法において、
再生されるべきデジタル音声データの第１トラックに対する記憶されたサンプルレートを識別するステップであって、前記第１トラックがメディアプレーヤに記憶されるようなステップと、
前記第１トラックに対する第１の再生サンプルレートを選択するステップであって、この第１の再生サンプルレートは、前記アクセサリによってサポートされるサンプルレートのリスト及び前記第１トラックに対する記憶されたサンプルレートに基づくものであるステップと、
前記第１の再生サンプルレートを示す情報を前記アクセサリへ送信するステップと、
前記第１トラックのデジタル音声データを前記第１の再生サンプルレートで前記アクセサリへ配送するステップと、
を備えた方法。
【請求項２】
前記アクセサリによりサポートされるデジタル音声に対するサンプルレートのリストを前記アクセサリから得るステップを更に備えた、請求項１に記載の方法。
【請求項３】
デジタル音声データを配送する前記ステップは、デジタル音声転送プロトコルを使用してデジタル音声データを配送することを含む、請求項１に記載の方法。
【請求項４】
前記デジタル音声転送プロトコルは、ユニバーサルシリアルバス（ＵＳＢ）音声プロトコルに対応する、請求項３に記載の方法。
【請求項５】
前記第１トラックのデジタルデータを配送する前に、前記ＵＳＢ音声プロトコルを使用して、デジタル音声出力インターフェイスのサンプルレートを前記第１の再生サンプルレートにセットするためのインストラクションを前記アクセサリから受信するステップを更に備えた、請求項４に記載の方法。
【請求項６】
前記第１トラックに対する記憶されたサンプルレートと前記第１の再生サンプルレートが異なる場合には、デジタル音声データを配送する前記ステップは、更に、前記メディアプレーヤ内で、前記デジタル音声データを、前記第１トラックに対して記憶されたサンプルレートから前記第１の再生サンプルレートへと変換することを含む、請求項１に記載の方法。
【請求項７】
再生されるべきデジタル音声データの第２トラックに関連した記憶されたサンプルレートを識別するステップであって、前記第２トラックがメディアプレーヤに記憶されるようなステップと、
前記第２トラックに対する第２の再生サンプルレートを選択するステップであって、この第２の再生サンプルレートは、前記アクセサリによってサポートされるサンプルレートのリスト及び前記第２トラックに対する記憶されたサンプルレートに基づくものであるステップと、
を更に備えた請求項１に記載の方法。
【請求項８】
前記第２の再生サンプルレートが前記第１の再生サンプルレートと異なる場合には、前記第２の再生サンプルレートを示す情報を前記アクセサリへ送信するステップと、
前記第２トラックのデジタル音声データを前記第２の再生サンプルレートで前記アクセサリへ配送するステップと、
を更に備えた請求項７に記載の方法。
【請求項９】
前記第２トラックに対する記憶されたサンプルレートと前記第２の再生サンプルレートが異なる場合には、デジタル音声データを配送する前記ステップは、更に、前記メディアプレーヤ内で、前記デジタル音声データを、前記第２トラックに対して記憶されたサンプルレートから前記第２の再生サンプルレートへと変換することを含む、請求項７に記載の方法。
【請求項１０】
前記アクセサリによりサポートされるサンプルレートのリストを得る前記ステップは、  前記アクセサリによりサポートされるサンプルレートのリストを要求するコマンドを前記アクセサリへ送信すること、及び
前記コマンドに対する応答であって、前記アクセサリによりサポートされるサンプルレートのリストを含む応答を、前記アクセサリから受信すること、
を含む請求項１に記載の方法。
【請求項１１】
アクセサリによりメディアプレーヤからデジタル音声を得るための方法において、
再生されるべきデジタル音声データの第１トラックに関連した第１の再生サンプルレートの識別をメディアプレーヤから受信するステップであって、前記第１トラックは、前記メディアプレーヤに記憶されたトラックであり、前記第１の再生サンプルレートは、前記メディアプレーヤにより選択されるもので、前記アクセサリによりサポートされるサンプルレートであるようなステップと、
前記第１の再生サンプルレートでデータを受信するために前記アクセサリとメディアプレーヤとの間にデジタル音声転送プロトコルを構成するステップと、
前記デジタル音声転送プロトコルを使用して、前記第１トラックのデジタル音声データを前記第１の再生サンプルレートで前記メディアプレーヤから受信するステップと、
を備えた方法。
【請求項１２】
前記アクセサリによりサポートされるサンプルレートのリストを前記メディアプレーヤに与えるステップを更に備えた、請求項１１に記載の方法。
【請求項１３】
前記デジタル音声プロトコルは、ユニバーサルシリアルバス（ＵＳＢ）音声プロトコルに対応し、前記方法は、更に、ＵＳＢ音声モードで動作するために前記メディアプレーヤとアクセサリとの間にＵＳＢ接続を構成するステップを更に備えた、請求項１１に記載の方法。
【請求項１４】
デジタル音声転送プロトコルを構成する前記ステップは、前記メディアプレーヤのデジタル音声出力インターフェイスのサンプルレートを前記第１の再生サンプルレートにセットするためのインストラクションを前記メディアプレーヤへ送信することを含む、請求項１３に記載の方法。
【請求項１５】
前記第１の再生サンプルレートは、前記メディアプレーヤに記憶される前記第１トラックに関連した記憶されたサンプルレートとは異なる、請求項１１に記載の方法。
【請求項１６】
再生されるべきデジタル音声データの第２トラックに関連した第２の再生サンプルレートの識別をメディアプレーヤから受信するステップであって、前記第２トラックは、前記メディアプレーヤに記憶されたトラックであり、前記第２の再生サンプルレートは、前記メディアプレーヤにより選択されるもので、前記アクセサリによりサポートされるサンプルレートのリストに含まれたサンプルレートの１つであるようなステップを更に備えた、請求項１１に記載の方法。
【請求項１７】
前記第２の再生サンプルレートが前記第１の再生サンプルレートと異なる場合には、前記第２の再生サンプルレートでデータを受信するように前記デジタル音声転送プロトコルを再構成するステップと、
前記デジタル音声転送プロトコルを使用して、前記第２の再生サンプルレートで前記第２トラックのデジタル音声データを前記メディアプレーヤから受信するステップと、
を更に備えた請求項１６に記載の方法。
【請求項１８】
前記アクセサリによりサポートされるサンプルレートのリストを要求するコマンドを前記メディアプレーヤから受信するステップを更に備え、
前記アクセサリによりサポートされるサンプルレートのリストを与える動作は、前記アクセサリによりサポートされるサンプルレートのリストを要求する受信されたコマンドに応答して行われる、請求項１１に記載の方法。
【請求項１９】
デジタル音声データの複数のトラックであってそれに関連して記憶されたサンプルレートを各々有している複数のトラックを含むメディア資産を記憶するように構成された記憶装置と、
アクセサリと通信するように構成され、デジタル音声をアクセサリに転送するためのデジタル音声転送プロトコルをサポートするように構成され、更に、デジタル音声データの配送に関係したアクセサリコマンド及び情報を交換するためのアクセサリプロトコルをサポートするように構成されたインターフェイスと、
前記記憶装置及びインターフェイスに結合された制御モジュールと、
を備え、前記制御モジュールは、
デジタル音声データの第１の記憶されたトラックに対する第１のサンプルレートを、その第１の記憶されたトラックに関連した記憶されたサンプルレート、及び前記アクセサリによりサポートされるサンプルレートのリストに基づいて選択し、
前記アクセサリプロトコルを使用して、前記選択されたサンプルレートを前記アクセサリへ通信し、そして
前記デジタル音声転送プロトコルを使用して、前記第１の記憶されたトラックのデジタル音声データを前記第１の選択されたサンプルレートで前記アクセサリへ配送する、
ように構成される、メディアプレーヤ。
【請求項２０】
メディアプレーヤに使用するためのアクセサリにおいて、
メディアプレーヤと通信するように構成され、そのメディアプレーヤからデジタル音声を受信するためのデジタル音声転送プロトコルをサポートするように構成され、更に、デジタル音声データの配送に関係したメディアプレーヤコマンド及び情報を交換するためのアクセサリプロトコルをサポートするように構成されたインターフェイスと、
前記インターフェイス及び音声出力区分に結合された制御モジュールと、
を備え、前記制御モジュールは、
前記アクセサリプロトコルを使用して、前記メディアプレーヤから、再生されるべきデジタル音声データの第１トラックに関連した第１の再生サンプルレートを識別する情報を受信するように構成され、前記第１トラックは、前記メディアプレーヤに記憶され、そして前記第１の再生サンプルレートは、前記メディアプレーヤにより選択されるもので、前記アクセサリによりサポートされるサンプルレートであり、
更に、前記デジタル音声転送プロトコルを使用して、前記第１の再生サンプルレートでデータを受信するように前記インターフェイスを動作し、そして
前記デジタル音声データを前記音声出力区分へ配送する、
ように構成される、アクセサリ。
【請求項２１】
前記インターフェイスは、
複数のピンが前記メディアプレーヤのコネクタの対応する複数のピンに嵌合するように構成されているコネクタと、
前記コネクタの２つの複数のピンの間に接続されたアクセサリ識別抵抗と、
を備えた請求項２０に記載のアクセサリ。
【請求項２２】
前記アクセサリはスピーカを含む、請求項２０に記載のアクセサリ。